(57)【要約】  表示窓における輝度を低コストに調整することが可能な発光装置を得ることを目的とし、ＬＥＤ素子７と、ＬＥＤ素子７が固定される基板６と、ＬＥＤ素子７の光照射方向に設けられた導光部材３と、導光部材３及び基板６を固定する基板ホルダ５と、導光部材３の光照射方向に設けられた表示窓１とを備え、導光部材３の形状及び透明度によって表示窓１の外側における輝度を調整可能である。このような発光装置を空気調和機に適用すると、ＬＥＤ素子７のＬＥＤ電流の調整、ＬＥＤ素子７の基板ホルダ５の交換及び基板ホルダ５が設けられた空気調和機の筐体自体の加工を行うことなく表示灯の輝度を低コストに調整可能である。
2017109838.tif 000002
【特許請求の範囲】
【請求項１】
発光素子と、
前記発光素子が固定される基板と、
前記発光素子の光照射方向に設けられた導光部材と、
前記導光部材及び前記基板を固定する基板ホルダと、
前記導光部材の前記光照射方向に設けられた表示窓とを備え、
前記導光部材の形状及び透明度によって前記表示窓の外側における輝度を調整可能であることを特徴とする発光装置。
【請求項２】
前記導光部材の形状は、
前記光照射方向における前記導光部材の厚さと、
前記光照射方向と直交する方向の前記導光部材の幅とにより決定されることを特徴とする請求項１に記載の発光装置。
【請求項３】
請求項１又は請求項２に記載の発光装置が表示灯として設けられていることを特徴とする空気調和機。
【発明の詳細な説明】
【技術分野】
【０００１】
本発明は、発光装置及びこの発光装置を表示灯に適用した空気調和機に関する。
【背景技術】
【０００２】
従来、ＬＥＤ素子及びこのＬＥＤ素子の光照射方向に配された表示窓を備える表示灯を有する空気調和機では、表示灯の輝度は、ＬＥＤ（Ｌｉｇｈｔ  Ｅｍｉｔｔｉｎｇ  Ｄｉｏｄｅ）素子自体の輝度及びＬＥＤ素子と表示窓との距離によって決まる。【０００３】
特許文献１には、「組立し易く、しかも確実に発光ダイオードの光を表示窓から確認できるようにする」ことを目的とし、「複数の表示窓１ｂを有して電気機器の外郭１ａを形成するボディ１の内部に、表示窓１ｂとの間に所定の距離を置いてプリント基板２が設けられて」おり、「前記所定の距離の間に、複数の発光ダイオード３がプリント基板２に直付けされるとともに、各発光ダイオード３の光をそれぞれの表示窓１ｂまで導く複数本の透明材料よりなる柱状の導光体４が、連結片４ａで一体に連結してボディ１の支持片１ｃに固着されている」電気機器の表示構造が開示されている。
【先行技術文献】
【特許文献】
【０００４】
【特許文献１】特開平５−３０３３４０号公報
【発明の概要】
【発明が解決しようとする課題】
【０００５】
しかしながら、上記従来の技術によれば、表示灯の輝度の調整は、ＬＥＤ素子のＬＥＤ電流若しくはＬＥＤ素子と表示窓との距離を調整することによって行い、又は要求される輝度と一致するＬＥＤ素子を選定しなければならなかった。そのため、ＬＥＤ素子の選択の幅が狭く、高コストである、という問題があった。【０００６】
本発明は、上記に鑑みてなされたものであって、表示窓における輝度を低コストに調整可能な発光装置を得ることを目的とする。
【課題を解決するための手段】
【０００７】
上述した課題を解決し、目的を達成するために、本発明に係る発光装置は、発光素子と、発光素子が固定される基板と、発光素子の光照射方向に設けられた導光部材と、導光部材及び基板を固定する基板ホルダと、導光部材の光照射方向に設けられた表示窓とを備え、導光部材の形状及び透明度によって表示窓の外側における輝度を調整可能であることを特徴とする。
【発明の効果】
【０００８】
本発明に係る発光装置は、表示窓における輝度を低コストに調整することができるという効果を奏する。
【図面の簡単な説明】
【０００９】
【図１】実施の形態１に係る発光装置の構成の一例を示す断面図
【図２】図１に示す発光装置における光束の一例を示す図
【図３】図２に対する比較例を示す図
【図４】実施の形態１における導光部材の形状の一例を示す断面図
【図５】実施の形態２に係る発光装置の構成の一例を示す断面図
【図６】実施の形態３に係る空気調和機の外観の一例を示す図
【００１０】
以下に、本発明の実施の形態に係る発光装置及び空気調和機を図面に基づいて詳細に説明する。なお、この実施の形態によりこの発明が限定されるものではない。【００１１】
実施の形態１．
図１は、本発明の実施の形態１に係る発光装置の構成の一例を示す断面図である。図１に示す発光装置は、発光素子であるＬＥＤ素子７と、ＬＥＤ素子７が固定される基板６と、ＬＥＤ素子７の光照射方向に設けられた導光部材３と、導光部材３及び基板６を固定する基板ホルダ５と、導光部材３の光照射方向に設けられた表示窓１と、表示窓１が設置される面である意匠面２とを備える。導光部材３は、透明又は半透明の樹脂によって形成されており、一例としてアクリル樹脂によって形成されている。また、図１中矢印はＬＥＤ素子７の発光によって生じた光を表す。【００１２】
なお、図１ではＬＥＤ素子７として砲弾型ＬＥＤを示しているが、本発明はこれに限定されるものではなく、ＬＥＤ素子７はチップ型ＬＥＤであってもよい。【００１３】
図１に示す発光装置には導光部材３が設けられており、この点が従来の発光装置とは異なる。図１に示す構成とすることで、ＬＥＤ素子７を他のＬＥＤに交換した場合であっても、当該他のＬＥＤに応じて導光部材３も交換することで表示窓１からの光の輝度をＬＥＤ交換前と等しくすることが可能である。すなわち、導光部材３によって、表示窓１からの光の輝度をＬＥＤ交換前後で一定に保つことが可能である。【００１４】
図２は、図１に示す発光装置における光束の一例を示す図である。図３は、図２に対する比較例を示す図である。図２に示す発光装置は、図３に示す発光装置に対して導光部材３が設けられている点が異なる。図３に示すように導光部材３が設けられていない場合には、ＬＥＤ素子７からの発光は基板ホルダ５内で発散し、ＬＥＤ素子７の発光のうち、表示窓１の方に照射された一部の光のみが表示窓１に到達する。図２に示すように導光部材３が設けられている場合には、ＬＥＤ素子７からの発光の大部分が導光部材３によって集約されるため、図３に示す構成よりも表示窓１に到達する光量が多く、表示窓１の外側の輝度が向上する。【００１５】
図４は、実施の形態１における導光部材３の形状の一例を示す断面図である。導光部材３の透明度を高くし、光照射方向における厚さＬを大きくし、光照射方向と直交する幅ｄを大きくすると表示窓１に到達する光量が多くなり、表示窓１の外側における輝度を向上させることができる。すなわち、本実施の形態においては導光部材３の形状及び透明度によって表示窓１の外側における輝度を調整可能であるが、導光部材３の形状は、光照射方向における導光部材３の厚さと、光照射方向と直交する方向の導光部材３の幅とにより決定される。【００１６】
また、導光部材３の面１１，１２を湾曲させることによっても表示窓１に到達する光が多くなり、表示窓１からの光の輝度を向上させることができる。【００１７】
以上本実施の形態にて説明したように、ＬＥＤ素子の光照射方向に導光部材を配することで、輝度の調整が容易な発光装置を得ることができる。そして、ＬＥＤ素子を交換した際に導光部材も交換することで輝度を向上させて表示窓からの光の輝度をＬＥＤ素子交換前と等しくすることができ、表示窓からの光の輝度をＬＥＤ素子交換前後で一定に保つことが可能である。そのため、ＬＥＤ素子交換時におけるＬＥＤ素子の選択の幅が広がり、コストを抑制することができる。【００１８】
実施の形態２．
図５は、本発明の実施の形態２に係る発光装置の構成の一例を示す断面図である。なお、図５においては図１と同様の構成には同じ符号を付している。図５に示す発光装置は、実施の形態１に示す導光部材３とは異なる導光部材３ａを備える。異なる導光部材３ａは、導光部材３よりも透明度が低く、厚さＬが小さく、幅ｄが小さく、表示窓１からの光の輝度を低下させることができる。ただし、導光部材３ａの幅は表示窓１よりも広くすることを要する。【００１９】
また、導光部材３ａの面１１，１２を実施の形態１とは逆に湾曲させることによっても表示窓１に到達する光が小さくなり、表示窓１からの光の輝度を低下させることができる。【００２０】
以上本実施の形態にて説明したように、ＬＥＤ素子を高輝度のものに交換した際に導光部材も交換することで輝度を低下させて表示窓からの光の輝度をＬＥＤ素子交換前と等しくすることができ、表示窓からの光の輝度をＬＥＤ素子交換前後で一定に保つことが可能である。そのため、ＬＥＤ素子交換時におけるＬＥＤ素子の選択の幅が広がり、コストを抑制することができる。【００２１】
実施の形態３．
実施の形態１，２にて説明した発光装置は、空気調和機の表示灯に適用することができる。空気調和機の表示灯に導光部材が設けられていない場合にはＬＥＤ交換前後の輝度を一定とするためには、ＬＥＤ素子のＬＥＤ電流を調整し、又はＬＥＤ素子と表示窓との距離を調整する必要があった。【００２２】
しかしながら、ＬＥＤ電流の調整は困難であり、また、ＬＥＤ素子と表示窓との距離を調整するためには空気調和機の筐体に設けられた基板ホルダの交換を要し、又は、基板ホルダが設けられた空気調和機の筐体自体の加工を要し、困難である。このように、導光部材が設けられていない場合には空気調和機の表示灯の輝度の調整は困難であった。そこで、空気調和機の表示灯に実施の形態１，２にて説明した発光装置を適用することで、表示灯の輝度調整を低コストで行うことができる。【００２３】
図６は、本発明の実施の形態１に係る空気調和機の外観の一例を示す図である。図６には、空気調和機筐体１０と、表示灯１１とが示されている。表示灯１１は、実施の形態１，２にて説明した発光装置が適用されている。【００２４】
なお、本実施の形態においては、実施の形態１，２にて説明した発光装置を空気調和機の表示灯とする形態について説明したが、本発明はこれに限定されるものではなく、他の電気機器の表示灯に実施の形態１，２にて説明した発光装置を適用してもよい。【００２５】
なお、要求される輝度を得るための導光部材は、予め形状の異なる導光部材を複数用意してもよいし、光照射方向における厚さが大きい導光部材を用意しておき、この導光部材をレーザ加工することで、要求される輝度の発光装置となるように調整してもよい。【００２６】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００２７】
１  表示窓、２  意匠面、３，３ａ  導光部材、５  基板ホルダ、６  基板、７  ＬＥＤ素子、１１，１２  面、２０  空気調和機筐体、２１  表示灯。
【図１】
2017109838.tif 000003
【図２】
2017109838.tif 000004
【図３】
2017109838.tif 000005
【図４】
2017109838.tif 000006
【図５】
2017109838.tif 000007
【図６】
2017109838.tif 000008
【手続補正書】
【提出日】平成29年12月11日(2017.12.11)
【手続補正１】
【補正対象書類名】特許請求の範囲
【補正対象項目名】全文
【補正方法】変更
【補正の内容】
【特許請求の範囲】
【請求項１】
発光素子と、
前記発光素子が固定された基板と、
前記発光素子の光照射方向に設けられた導光部材と、
前記導光部材及び前記基板が固定された基板ホルダと、
前記導光部材の前記光照射方向に、前記基板ホルダとは独立して設けられた表示窓とを備え、
前記導光部材の形状及び透明度によって前記表示窓の外側における輝度を調整可能であることを特徴とする発光装置。
【請求項２】
前記導光部材の形状は、
前記光照射方向における前記導光部材の厚さと、
前記光照射方向と直交する方向の前記導光部材の幅とにより決定されることを特徴とする請求項１に記載の発光装置。
【請求項３】
請求項１又は請求項２に記載の発光装置が表示灯として設けられていることを特徴とする空気調和機。
【手続補正２】
【補正対象書類名】明細書
【補正対象項目名】０００７
【補正方法】変更
【補正の内容】
【０００７】
上述した課題を解決し、目的を達成するために、本発明に係る発光装置は、発光素子と、発光素子が固定された基板と、発光素子の光照射方向に設けられた導光部材と、導光部材及び基板が固定された基板ホルダと、導光部材の光照射方向に、基板ホルダとは独立して設けられた表示窓とを備え、導光部材の形状及び透明度によって表示窓の外側における輝度を調整可能であることを特徴とする。
【手続補正３】
【補正対象書類名】明細書
【補正対象項目名】００２３
【補正方法】変更
【補正の内容】
【００２３】
図６は、本発明の実施の形態１に係る空気調和機の外観の一例を示す図である。図６には、空気調和機筐体１０と、表示灯２１とが示されている。表示灯２１は、実施の形態１，２にて説明した発光装置が適用されている。
【国際調査報告】
2017109838.tif 000009
2017109838.tif 000010
2017109838.tif 000011
2017109838.tif 000012